(57)【要約】【課題】  携帯電話の小型化を妨げることなく、焦点合わせの動作と撮像動作を実行可能な携帯電話装置を提供する。【解決手段】  キーの上面に接触検知センサを搭載させ、ユーザが接触検知センサに触れたと判定すると（Ｓ１ステップ）、焦点合わせの動作を行い（Ｓ２ステップ）、続いてキーの押下があると判定すると（Ｓ４ステップ）、撮像動作を実行する（Ｓ５）ように制御する制御手段を有する携帯電話装置。【選択図】      図５
2007121806.tif 000002
【特許請求の範囲】
【請求項１】
指が触れたことを検出する接触検出部と、キーと、該キーが押下されたことを検出するキー押下検出部と、カメラ部と、
指が触れたことを前記接触検出部が検出した判定すると、焦点をあわせるように前記カメラ部を制御し、前記キー押下検出部がキー押下を検出したと判定すると、撮像動作を実行するように前記カメラ部を制御する制御部と、を有することを特徴とするカメラ。
【請求項２】
キーと、該キーの上面に形成され指が触れたことを検出する接触検出部と、前記キーの押下を検出するキー押下検出部と、カメラ部と、
前記キー上面に指が触れたことを前記接触検出部が検出したと判定すると、焦点をあわせるように前記カメラ部を制御し、前記キー押下検出部がキー押下を検出したと判定すると、撮像動作を実行するように前記カメラ部を制御する制御部と、を有することを特徴とするカメラ。
【請求項３】
指が触れたことを検出する接触検出部と、キーと、該キーが押下されたことを検出するキー押下検出部と、カメラ部と、
指が触れたことを前記接触検出部が検出した判定すると、焦点をあわせるように前記カメラ部を制御し、前記キー押下検出部がキー押下を検出したと判定すると、撮像動作を実行するように前記カメラ部を制御する制御部と、を有することを特徴とするカメラ付携帯電話装置。
【請求項４】
キーと、該キーの上面に形成され指が触れたことを検出する接触検出部と、前記キーの押下を検出するキー押下検出部と、カメラ部と、
前記キー上面に指が触れたことを前記接触検出部が検出したと判定すると、焦点をあわせるように前記カメラ部を制御し、前記キー押下検出部がキー押下を検出したと判定すると、撮像動作を実行するように前記カメラ部を制御する制御部と、を有することを特徴とするカメラ付携帯電話装置。
【発明の詳細な説明】
【技術分野】
【０００１】
本発明は、カメラ及びカメラ付携帯電話装置に関する。
【背景技術】
【０００２】
従来のカメラでは、ユーザがシャッターボタンを半押しすると、自動的にピント合わせをし、シャッターボタンを押下すると撮像が行われる構造となっている（例えば、特許文献１）。
【０００３】
一方、携帯電話の世界においては、近年カメラ付き携帯電話が爆発的に普及しており、カメラ付きでない携帯電話を探すのが困難だと言っても過言ではない状況に来ている。
【特許文献１】特開平９−２４４１１６号公報（段落００１５から段落００１６及び図１）
【発明の開示】
【発明が解決しようとする課題】
【０００４】
ところで、近年の携帯電話では、カメラ機能が高度になってきており、画素数も１００万画素クラスのものが製品化されている。このようにカメラの画素数の向上に伴い、様々なカメラ機能の向上も要求されている。その要求の一つに、例えば、携帯電話装置にオートフォーカス機能を搭載することが挙げられる。
【０００５】
ところが、上記特許文献１に記載のカメラのようなシャッターボタンは、半押しを検出するためのスイッチ機構と、押下を検出するスイッチ機構が必要である為、上記特許文献１の図１に記載されているように、制御回路基板からシャッターボタンまでの間にこれらのスイッチ機能を搭載するための空間が必要となる。
【０００６】
このようなシャッターボタンを携帯電話に搭載しようとしても、携帯電話装置の基板からキーまでの間には空間がわずかしかない為に特許文献１に記載の機構を通常の携帯電話装置に搭載し、１つのキーでピント合わせと撮像動作を実行する構成とするのは困難である。
【課題を解決するための手段】
【０００７】
本発明はこのような課題を解決する為のものであり、請求項１に記載の発明は、指が触れたことを検出する接触検出部と、キーと、該キーが押下されたことを検出するキー押下検出部と、カメラ部と、指が触れたことを前記接触検出部が検出した判定すると、焦点をあわせるように前記カメラ部を制御し、前記キー押下検出部がキー押下を検出したと判定すると、撮像動作を実行するように前記カメラ部を制御する制御部と、を有することを特徴とする。
請求項２に記載の発明は、キーと、該キーの上面に形成され指が触れたことを検出する接触検出部と、前記キーの押下を検出するキー押下検出部と、カメラ部と、前記キー上面に指が触れたことを前記接触検出部が検出したと判定すると、焦点をあわせるように前記カメラ部を制御し、前記キー押下検出部がキー押下を検出したと判定すると、撮像動作を実行するように前記カメラ部を制御する制御部と、を有することを特徴とする。
請求項３に記載の発明は、指が触れたことを検出する接触検出部と、キーと、該キーが押下されたことを検出するキー押下検出部と、カメラ部と、指が触れたことを前記接触検出部が検出した判定すると、焦点をあわせるように前記カメラ部を制御し、前記キー押下検出部がキー押下を検出したと判定すると、撮像動作を実行するように前記カメラ部を制御する制御部と、を有することを特徴とする。
請求項４に記載の発明は、キーと、該キーの上面に形成され指が触れたことを検出する接触検出部と、前記キーの押下を検出するキー押下検出部と、カメラ部と、前記キー上面に指が触れたことを前記接触検出部が検出したと判定すると、焦点をあわせるように前記カメラ部を制御し、前記キー押下検出部がキー押下を検出したと判定すると、撮像動作を実行するように前記カメラ部を制御する制御部と、を有することを特徴とする。
【発明の効果】
【０００８】
本発明によれば、携帯電話装置のような回路基板とキーとの間のスペースが小さい小型電子機器において、焦点合わせの動作と撮像動作を１つのキーで実行することが可能である。
【０００９】
又、複雑で大型なキー構造を用いなくとも、焦点合わせの動作と撮像動作を実行することができる為、携帯電話装置のような小型電子機器において、焦点合わせの動作と撮像動作を実行する為の小型の入力部を配置することができる。
【００１０】
更に、焦点を画面の端に移動させる場合、従来の半押し持続よりも接触持続の方が操作が容易である。
【発明を実施するための最良の形態】
【００１１】
次に、本発明の一実施形態に係る携帯電話装置について、図面を参照して説明する。
【００１２】
図１は、本実施例装置であるカメラ付き携帯電話装置の前面図である。図１において、携帯電話装置１０は、シャッターボタン４８と接触検知センサ５６を搭載している。尚、この接触検知センサ５６については後ほど詳細に説明する。
【００１３】
図２は、本実施例装置の背面図である。図２において、携帯電話装置１０は、ＣＣＤ（Ｃｈａｒｇｅ  Ｃｏｕｐｌｅｄ  Ｄｅｖｉｃｅｓ）からなるＣＣＤ受光部を搭載したカメラ７０を有している。
【００１４】
図３は、本実施例装置のブロック図である。図３に示すように、携帯電話装置１０は、アンテナ１６と接続された通信部１２を備えている。この通信部１２は、後述のベースバンド部１４からの信号をアンテナ１６を介して基地局へ発信し、あるいはアンテナ１６を介して基地局からの電波を受信する。
【００１５】
また、通信部１２は、ベースバンド部１４と接続されている。ベースバンド部１４は、ＣＤＭＡ処理回路１８と、音声コーデック２０と、を有している。ここで、ＣＤＭＡ処理回路１８は、符号分割多元接続、スクランブル、誤り制御、タイミング検出を行う。また、音声コーデック２０は、音声を圧縮（符号化）、伸張（復号化）したり、アナログとデジタルの変換を行ったり、内部の増幅回路（図示省略）により受話音量やマイクロホンの感度を変更する。
【００１６】
また、ベースバンド部１４には、切替回路２２が接続されている。この切替回路２２には、増幅回路２４を介して第１スピーカ２６が接続されている。この第１スピーカ２６は、増幅回路２４で増幅されたベースバンド部１４の電気信号を音声に変換する。この第１スピーカ２６は、ユーザの耳にあてて通話に使用される。
【００１７】
また、切替回路２２には、増幅回路２８を介してマイクロホン３０が接続されている。このマイクロホン３０は、通話に使用され、音声を電気信号に変換する。マイクロホン３０により出力された電気信号は、増幅回路２８で増幅されてベースバンド部１４に出力される。
【００１８】
また、切替回路２２には、増幅回路３２を介して第２スピーカ３４が接続されている。この第２スピーカ３４は、増幅回路３２で増幅されたベースバンド部１４の電気信号を音声に変換する。この第２スピーカ３４は、受話音を周囲の人にも聞かせるための拡声用のスピーカである。また、第２スピーカ３４は、着信報知の鳴動も行う。なお、これらの３つの増幅回路２４、２８、３２は、ゲインを固定しており、第１スピーカ２６及び第２スピーカ３４の音量やマイクロホン３０の感度を変更することはできないようになっている。
【００１９】
この切替回路２２は、ベースバンド部１４との接続を、第１スピーカ２６用の増幅回路２４とマイクロホン３０用の増幅回路２８側にするか、あるいは拡声用の第２スピーカ３４用の増幅回路３２とマイクロホン３０用の増幅回路２８側にするかを切り替える。
【００２０】
また、通信部１２、ベースバンド部１４、切替回路２２には、制御回路（制御部）３６がそれぞれ接続されている。この制御回路３６の制御により上述した切替回路２２による切り替えが行われる。また、制御回路３６によりベースバンド部１４の音声コーデック２０が制御され、音声コーデック２０により第１スピーカ２６及び第２スピーカ３４の音量やマイクロホン３０の感度が変更される。制御回路３６には、ＲＯＭ３８が接続されており、ＲＯＭ３８に格納されているシステムプログラムに基づき各部を制御する。
【００２１】
ディスプレイ４２は、例えば液晶表示装置からなり、撮像した画情報や、電話番号等を表示する。
【００２２】
制御回路３６には、入力部４４が接続されている。この入力部４４は、シャッターボタン４８のほかに、電話番号等の入力を行うテンキーと、通話の開始を操作する通話キーと、通話の終了を操作する切キーと、各種機能の設定を行う機能キーと、カーソルを所定の方向に移動させるカーソルキー等、を有している（図示せず）。
【００２３】
ここで、図４に示すように、シャッターボタン４８の上面には、ユーザが接触したことを検知する接触検知センサ５６が設けられている。この接触検知センサ５６は、従来から知られているものであり、例えば、透明電極等が用いられている。この接触検知センサ５６は、回路基板５８を介して制御回路３６と電気的に接続されている。撮像時において、ユーザがシャッターボタン４８に接触すると、その接触したキー４８の磁力の変化に基づいて回路基板５８から所定の入力信号が出力され、この入力信号が制御回路３６に入力される。制御回路３６に所定の入力信号が入力されると、焦点合わせの動作が行われ、続いてシャッターボタン４８が押下されると、撮像処理が行われる。尚、この焦点合わせと撮像処理については、後ほど詳細に説明する。
ＲＯＭ３８には、制御回路３６を動作させる為に必要なシステムプログラムが格納され、ＲＡＭ４０には、各種情報、例えば、カメラ部７０により撮像した画情報を格納する。
【００２４】
カメラ部７０は、レンズ７２を介して光を受光するＣＣＤ受光部７１と、該ＣＣＤ受光部７１からの信号を画像処理する画像処理部７３と、カメラ部７０から被写体までの距離を検出する距離検出部７４と、該距離検出部７４の検出結果に基づいてレンズを制御するレンズ制御部７５と、該レンズ制御部７５の制御に基づいてレンズ７１を駆動するレンズ駆動部７６と、を有している。
【００２５】
次に、本実施例装置の動作について説明する。図５は、本実施例装置の動作を示すフロー図である。
【００２６】
図５のＳ１ステップにおいて、制御回路３６は、ユーザがキーに触れたと判定すると、Ｓ２ステップへ処理を進める。具体的には、制御回路６０は、回路基板５８を介して、接触検知センサ５６から指が触れたことを示す信号を検出すると、Ｓ２ステップへ処理を進める。
【００２７】
Ｓ２ステップにおいて、制御回路３６は、焦点をあわせる制御を行う。具体的には、制ＣＣＤ受光部７１から受光した画像に基づいて距離検出部７４が被写体との間の距離を検出し、その検出した距離に基づいてレンズ制御部７５が、レンズ駆動部７６を駆動することにより、レンズ７２が前後方向に移動し焦点があわせられる。
【００２８】
続くＳ３ステップにおいて、制御回路３６は、ユーザがキーから指を離したと判定すると、Ｓ９ステップへ処理を進め、そうでなければＳ４ステップへ処理を進める。具体的には、制御回路３６は、回路基板５８を介して、接触検知センサ５６から指が離れたことを示す信号を検出すると、Ｓ９ステップへ処理を進め、そうでなければＳ４ステップへ処理を進める。
【００２９】
Ｓ４ステップでは、制御回路３６は、入力部４４のシャッターボタン４８が押下されたと判定すると、Ｓ５ステップへ処理を進め、そうでなければＳ３ステップへ処理を戻す。この押下の判定は、例えば、キー４８の裏面に磁性体或いは金属を配置し、キーの押下と共にキー裏面に配置された金属が回路基板５８上に形成されている２つのパターンを短絡させることにより、制御回路３６がこの短絡を検出しキー押下ありと判定する構成としている。尚、この技術は公知の技術である。
【００３０】
Ｓ５ステップでは、制御回路３６は、撮像動作処理を実行する。具体的には、制御回路３６は、カメラ部７０を制御することにより、ＣＣＤ受光部７１から入力された画情報が、画像処理部７３で画処理を施され、制御回路３６に入力される。制御回路３６に入力された画情報は、ディスプレイ４２に表示されると共に、制御回路３６内部にあるバッファ（図示せず）に一時的に格納される。
【００３１】
続くＳ６ステップでは、制御回路３６は、入力部４４からデータ保存処理の指示があると判定すると、Ｓ７ステップへ処理を進め、そうでなければ、Ｓ８ステップへ処理を進める。
【００３２】
Ｓ７ステップでは、制御回路３６は、前記Ｓ５ステップで撮像した画情報をＲＡＭ４０に格納し、Ｓ９ステップへ処理を進める。
【００３３】
Ｓ８ステップでは、制御回路３６は、バッファに一時的に格納していた画情報を消去し、Ｓ９ステップへ処理を進める。
【００３４】
Ｓ９ステップでは、制御回路３６は、入力部４４から続けて撮像動作を実行するように指示する入力があると判定すると、Ｓ１ステップへ処理を進め、そうでなければ、撮像処理を終了する。
【００３５】
このように、本実施例装置では、撮像時にユーザがシャッターボタンの上部に配置された接触検知センサ５６に触れると焦点合わせの処理が実行され、続けてユーザがシャッターボタンを押下することにより、撮像処理が実行される。
【００３６】
本実施例によると、携帯電話装置のような回路基板とキーとの間のスペースが小さい小型電子機器において、焦点合わせの動作と撮像動作を１つのキーで実行することが可能である。
【００３７】
尚、本実施例では、シャッターボタン４８と接触検知センサ５６を用いたが、例えばテンキーといった他のキーをシャッターボタンと接触検知センサとして使用しても良い。
【図面の簡単な説明】
【００３８】
【図１】本発明を適用してなる実施例装置の前面図である。
【図２】本発明を適用してなる実施例装置の背面図である。
【図３】本実施例装置のブロック図である。
【図４】キー周辺の断面図である。
【図５】本実施例装置の動作を示すフロー図である。
【符号の説明】
【００３９】
１０      携帯電話装置
３６      制御回路
４４      入力部
４８      シャッターボタン
５６      接触検知センサ
７０      カメラ部
７１      ＣＣＤ受光部
７２      レンズ
７３      画像処理部
７４      距離検出部
７５      レンズ制御部
７６      レンズ駆動部
【図１】
2007121806.tif 000003
【図２】
2007121806.tif 000004
【図３】
2007121806.tif 000005
【図４】
2007121806.tif 000006
【図５】
2007121806.tif 000007